【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
低エネルギーノードが、一次的時間スロットチャネルホッピング型（「ＴＳＣＨ」）ネットワークのチャネルホッピングパターンとの通信を同期して、前記低エネルギーノードのクロックを前記一次的ＴＳＣＨネットワークに同期させる、ステップと、
子ノードを受け入れる可容性があり、かつ少なくとも所定の質を持つリンクを伴う前記ＴＳＣＨノードからの拡張ビーコンを要求する選択フェーズ拡張ビーコンリクエストを、前記通信を同期した後に送信する、前記低エネルギーノードによる、ステップと、
第一のＴＳＣＨノードからの選択フェーズ拡張ビーコンを受信する、前記低エネルギーノードによる、ステップと、
前記第一のＴＳＣＨノードに、前記低エネルギーノードを子ノードとして採用するように前記第一のＴＳＣＨノードに要求する採用リクエストを送信する、前記低エネルギーノードによる、ステップと、及び、
前記第一のＴＳＣＨノードから、前記第一のＴＳＣＨノードが前記低エネルギーノードを子ノードとして採用することを了承することと、前記低エネルギーノードに代わって前記一次的ＴＳＣＨネットワークへのジョインを管理していることとを示す採用レスポンスを受信する、前記低エネルギーノードによる、ステップとを含む
方法。
【請求項２】
前記選択フェーズ拡張ビーコンは第一の選択フェーズ拡張ビーコンであり、
方法はさらに
第二のＴＳＣＨノードからの第二の選択フェーズ拡張ビーコンを受信する、前記低エネルギーノードによる、ステップと、
前記第一の選択フェーズ拡張ビーコンからのリンクの質の情報を、前記第二の選択フェーズ拡張ビーコンからのリンクの質の情報と比較するステップと、及び、
その比較が前記第一のＴＳＣＨノードが前記第二のＴＳＣＨノードよりも高いリンクの質を提供することを示すときに、前記第一のＴＳＣＨノードを親ノードとして選択するステップとを含む
請求項１に記載の方法。
【請求項３】
前記一次的ＴＳＣＨネットワークの前記チャネルホッピングパターンと通信を同期するステップは、
低エネルギーネットワークチャネルにおいて同期フェーズ拡張ビーコンリクエストを送信する、前記低エネルギーノードによる、ステップと、及び
前記一次的ＴＳＣＨネットワークの前記チャネルホッピングパターンと通信を同期するための情報を含む同期フェーズ拡張ビーコンを受信する、前記低エネルギーノードによる、ステップとを含む
請求項１に記載の方法。
【請求項４】
前記一次的ＴＳＣＨネットワークの前記チャネルホッピングパターンとの通信を同期するステップはさらに、
前もって決められた長さの時間だけ、前記同期フェーズ拡張ビーコンのためにリッスンする、前記低エネルギーノードによる、ステップと、及び
前記前もって決められた長さの時間の間に前記同期フェーズ拡張ビーコンを受信しなかったのに反応して、もう一つの同期フェーズ拡張ビーコンリクエストを送信する、前記低エネルギーノードによる、ステップとを含む
請求項３に記載の方法。
【請求項５】
さらに、
スリープ状態からウェイクする、前記低エネルギーノードによる、ステップと、及び
前記一次的ＴＳＣＨネットワークの前記チャネルホッピングパターンとの通信を再同期する、前記低エネルギーノードによる、ステップとを含む、
請求項１に記載の方法。
【請求項６】
前記選択フェーズ拡張ビーコンリクエストは第一の選択フェーズ拡張ビーコンリクエストであり、
前記選択フェーズ拡張ビーコンは第一の選択フェーズ拡張ビーコンであり、
前記採用リクエストは第一の採用リクエストであり、かつ
前記採用レスポンスは第一の採用レスポンスであり、
方法はさらに、
子を受け入れる可容性を持ち、かつ少なくとも所定のリンクの質を伴うＴＳＣＨノードからのもう一つの拡張ビーコンを要求する第二の選択フェーズ拡張ビーコンリクエストを、再同期された通信を使用して送信する、前記低エネルギーノードによる、ステップと、
第二のＴＳＣＨノードから第二の選択フェーズ拡張ビーコンを受信する、前記低エネルギーノードによる、ステップと、
第二の採用リクエストを前記第二のＴＳＣＨノードに送信する、前記低エネルギーノードによる、ステップと、及び、
前記第二のＴＳＣＨノードが前記一次的ＴＳＣＨネットワークに再ジョインする前記低エネルギーノードを低エネルギーノードに代わって管理していることを示す第二の採用レスポンスを、第二のＴＳＣＨノードから受信する、前記低エネルギーノードによる、ステップとを含む
請求項５に記載の方法。
【請求項７】
前記第一のＴＳＣＨノードが前記低エネルギーノードを解放するように要求する解放リクエストを前記第一のＴＳＣＨノードに送信する、前記低エネルギーノードによる、ステップと、及び、
解放レスポンスを前記第一のＴＳＣＨノードから受信する、前記低エネルギーノードによる、ステップとを含む
請求項６に記載の方法。
【請求項８】
一次的ＴＳＣＨネットワーク内において互いに通信可能に結合された複数の時間スロットチャネルホッピング型（「ＴＳＣＨ」）ノードと、及び
低エネルギーノードとを含むシステムであって、
前記低エネルギーノードは、プロセッサと、非一過性のコンピュータ読み取り可能な媒体とを含み、
前記プロセッサは、前記非一過性のコンピュータ読み取り可能な媒体上に格納された命令により、
前記一次的ＴＳＣＨネットワークのチャネルホッピングパターンで前記低エネルギーノードの通信を同期して、前記低エネルギーノードのクロックを前記一次的ＴＳＣＨネットワークに同期させるステップと、
子ノードを受け入れる可容性を持ち、かつ少なくとも所定のリンクの質を伴う前記複数のＴＳＣＨノードの中のＴＳＣＨノードからの拡張ビーコンを要求する選択フェーズ拡張ビーコンリクエストを、前記通信を同期した後に送信するステップと、
前記複数のＴＳＣＨノードの中の第一のＴＳＣＨノードからの選択フェーズ拡張ビーコンを受信するステップと、
前記低エネルギーノードを子ノードとして採用するように前記第一のＴＳＣＨノードに要求する採用リクエストを前記第一のＴＳＣＨノードに送信するステップと、及び、
前記第一のＴＳＣＨノードが前記低エネルギーノードを子ノードとして採用することを了承することと、前記低エネルギーノードに代わって前記一次的ＴＳＣＨネットワークへのジョインを管理していることとを示す、前記第一のＴＳＣＨノードからの採用レスポンスを受信するステップとを実行する
システム。
【請求項９】
前記選択フェーズ拡張ビーコンは第一の選択フェーズ拡張ビーコンであり、
前記命令により前記プロセッサはさらに、
前記複数のＴＳＣＨノードの中の第二のＴＳＣＨノードから第二の選択フェーズ拡張ビーコンを受信するステップと、
前記第一の選択フェーズ拡張ビーコンからのリンクの質の情報を、前記第二の選択フェーズ拡張ビーコンからのリンクの質の情報と比較するステップと、及び
その比較により、前記第一のＴＳＣＨノードが前記第二のＴＳＣＨノードよりも高いリンクの質を提供することが示されたときに、前記第一のＴＳＣＨノードを親ノードとして選択するステップとを実行する
請求項８に記載のシステム。
【請求項１０】
前記プロセッサが前記一次的ＴＳＣＨネットワークのチャネルホッピングパターンで通信を同期するステップは、
低エネルギーネットワークチャネル上において同期フェーズ拡張ビーコンリクエストを送信するステップと、
前記一次的ＴＳＣＨネットワークの前記チャネルホッピングパターンとの通信を同期するための情報を含む同期フェーズ拡張ビーコンを受信するステップと、
を含む
請求項８に記載のシステム。
【請求項１１】
前記プロセッサが一次的ＴＳＣＨネットワークのチャネルホッピングパターンにより通信を同期するステップはさらに、
前もって決められた量の時間だけ前記同期フェーズ拡張ビーコンのためにリッスンするステップと、及び、
前もって決められた量の時間の間に前記同期フェーズ拡張ビーコンを受信しなかったのに反応して、もう一つの同期フェーズ拡張ビーコンリクエストを送信するステップとを含む
請求項１０に記載のシステム。
【請求項１２】
前記命令により前記プロセッサはさらに、
前記低エネルギーノードをスリープ状態からウェイクするステップと、及び
前記一次的ＴＳＣＨネットワークの前記チャネルホッピングパターンにより、前記低エネルギーノードによる通信を再同期するステップとを実行する
請求項８に記載のシステム。
【請求項１３】
前記選択フェーズ拡張ビーコンリクエストは第一の選択フェーズ拡張ビーコンリクエストであり、
前記選択フェーズ拡張ビーコンは第一の選択フェーズ拡張ビーコンであり、
前記採用リクエストは第一の採用リクエストであり、かつ
前記採用レスポンスは第一の採用レスポンスであり、
前記命令により前記プロセッサはさらに、
子を受け入れる可容性を持ち、かつ少なくとも所定のリンクの質を伴う前記ＴＳＣＨノードからのもう一つの拡張ビーコンを要求する第二の選択フェーズ拡張ビーコンリクエストを、前記再同期された通信を使用して送信するステップと、
第二のＴＳＣＨノードから第二の選択フェーズ拡張ビーコンを受信するステップと、
第二の採用リクエストを前記第二のＴＳＣＨノードに送信するステップと、及び
前記一次的ＴＳＣＨネットワークに再ジョインする前記低エネルギーノードを前記低エネルギーノードに代わって前記第二のＴＳＣＨノードが管理していることを示す第二の採用レスポンスを、前記第二のＴＳＣＨノードから受信するステップとを実行する
請求項１２に記載のシステム。
【請求項１４】
前記命令により前記プロセッサはさらに、
前記第一のＴＳＣＨノードが前記低エネルギーノードを解放するように要求する解放リクエストを前記第一のＴＳＣＨノードに送信するステップと、及び、
解放レスポンスを前記第一のＴＳＣＨノードから受信するステップとを含む
請求項１３に記載のシステム。
【請求項１５】
一次的時間スロットチャネルホッピング型（「ＴＳＣＨ」）ネットワークのＴＳＣＨノードによる、親選択フェーズにおけるＴＳＣＨ時間スロットの間に低エネルギーノードからの選択フェーズ拡張ビーコンを受信するステップと、
前記ＴＳＣＨノードが子ノードを受け入れる可容性を持ち、かつ前記ＴＳＣＨノードの前記低エネルギーノードとのリンクが前記選択フェーズ拡張ビーコンリクエストで示されたしきい値を超える質を持つと決定づけたことに基づいて選択フェーズ拡張ビーコンを送信する、前記ＴＳＣＨノードによる、ステップと、
前記低エネルギーノードからの、前記低エネルギーノードを子ノードとして採用するように前記第一のＴＳＣＨノードに要求する採用リクエストを受信する、前記ＴＳＣＨノードによる、ステップと、及び、
前記ＴＳＣＨノードが前記低エネルギーノードを子ノードとして採用することを了承することと、前記一次的ＴＳＣＨノードにジョインする前記低エネルギーノードを前記低エネルギーノードに代わって管理していることとを示す採用レスポンスを、前記低エネルギーノードに送信する、前記ＴＳＣＨノードによる、ステップとを含む
方法。
【請求項１６】
前記選択フェーズ拡張ビーコンリクエストを受信するステップは、前記低エネルギーノードが前記一次的ＴＳＣＨノードと同期されていることを示す前記選択フェーズ拡張ビーコンリクエストを、前記ＴＳＣＨ時間スロットの一次的部分の間に受信するステップを含む
請求項１５に記載の方法。
【請求項１７】
前記親選択フェーズの間に前記選択フェーズ拡張ビーコンリクエストを受信するステップに先行して、方法はさらに
ＴＳＣＨ時間スロットの一次的部分の間、前記一次的ＴＳＣＨネットワーク上の他のＴＳＣＨノードからの通信をリッスンする、前記ＴＳＣＨノードによる、ステップと、
前記ＴＳＣＨ時間スロットの前記一次的部分の間に通信を一つも受信しなかったとき、前記ＴＳＣＨ時間スロットの二次的部分の間、低エネルギーネットワークチャネル上で、前記低エネルギーノードからの同期フェーズ拡張ビーコンリクエストをリッスンする、ＴＳＣＨノードによる、ステップと、及び、
前記同期フェーズ拡張ビーコンリクエストに反応して、前記低エネルギーノード及び前記一次的ＴＳＣＨネットワークの間の通信を同期するための同期フェーズ拡張ビーコンを送信する、前記ＴＳＣＨノードによる、ステップとを含む
請求項１５に記載の方法。
【請求項１８】
前記同期フェーズ拡張ビーコンを送信するステップは、前記ＴＳＣＨ時間スロットに続く第二のＴＳＣＨスロットの一次的部分の間に、同期フェーズ拡張ビーコンを送信するステップを含む
請求項１７に記載の方法。
【請求項１９】
前記選択フェーズ拡張ビーコンを送信するステップは、前記選択フェーズ拡張ビーコンが前記一次的ＴＳＣＨネットワーク上の別のＴＳＣＨノードにより送信された選択フェーズ拡張ビーコンと衝突するのを防ぐために、選択フェーズ拡張ビーコンを送信する前にランダムな量の時間だけ待つステップを含む
請求項１５に記載の方法。
【請求項２０】
さらに、
前記ＴＳＣＨノードに前記低エネルギーノードを解放するよう要求する解放リクエストを前記低エネルギーノードから受信する、前記ＴＳＣＨノードによる、ステップと、
前記低エネルギーノードを管理するために前記ＴＳＣＨノードにより使用されていたリソースを解放する、前記ＴＳＣＨノードによる、ステップと、
解放レスポンスを前記低エネルギーノードに送信する、前記ＴＳＣＨノードによる、ステップとを含む
請求項１５に記載の方法。